(57)【特許請求の範囲】
【請求項１】
中央監視装置と、前記中央監視装置と通信接続されるＶＡＶコントローラと、前記ＶＡＶコントローラにより制御されて空調空間への風量を可変制御するＶＡＶユニットとを備える空調システムにおいて、
前記ＶＡＶコントローラは、
前記中央監視装置から受信した発停信号に基づいて前記ＶＡＶユニットが備えるダンパの開閉指令を行うダンパ制御手段と、
前記ＶＡＶユニットの制御に必要な制御情報を取得する取得手段と、
前記開閉指令及び前記制御情報を用いて、前記ＶＡＶユニットの動作状態の判定を行う判定手段とを備え、
前記制御情報には、前記ＶＡＶユニットに備わるダンパ開度検出部により検出されるダンパ高開度信号、前記ＶＡＶユニットに備わるダンパを駆動するダンパモータに対するダンパ開指令時間、及びダンパ閉指令時間が含まれており、
前記判定手段は、
前記ダンパ開指令時間−前記ダンパ閉指令時間
なる式で算出される差分が一定時間以上となり、かつ、前記ダンパ高開度信号が検出されない場合、前記ダンパモータを故障と判定する、ことを特徴とする空調システム。
【請求項２】
前記判定手段は、さらに、前記開閉指令としてダンパ開信号を送信した後、前記取得手段が前記ＶＡＶユニットに備わる風速センサから取得した風速信号が所定値以下の場合、又は前記開閉指令としてダンパ閉信号を送信した後、前記取得手段が取得する風速信号が所定値以上の場合、前記ＶＡＶユニットのダンパ故障と判定する、ことを特徴とする請求項１記載の空調システム。
【請求項３】
前記判定手段は、さらに、前記開閉指令としてダンパ開信号を送信した後、前記ダンパ高開度信号又は前記ＶＡＶユニットに備わるダンパ開度検出部により検出されるダンパ適正開度信号が検出され、かつ、前記風速信号が０以下の場合、又は前記開閉指令としてダンパ閉信号を送信した後、前記ダンパ高開度信号及びダンパ適正開度信号が検出されず、かつ、前記風速信号が０以上の場合、前記ＶＡＶユニットの風速センサを故障と判定する、ことを特徴とする請求項１記載の空調システム。
【請求項４】
前記判定手段は、さらに、
前記ダンパ閉指令時間−前記ダンパ開指令時間
なる式で算出される差分が一定時間以上となり、かつ、前記ダンパ高開度信号又はダンパ適性開度信号が検出される場合、前記ダンパモータを故障と判定する、ことを特徴とする請求項１記載の空調システム。
【請求項５】
前記取得手段は、さらに、前記制御情報として、単位時間当たりの前記ダンパ制御手段から前記ＶＡＶユニットに備わるダンパモータへの制御指令回数の総数を取得し、
前記判定手段は、前記制御指令回数の総数が一定回数以上の場合、前記ＶＡＶユニットのメンテナンス時期と判定する、ことを特徴とする請求項１記載の空調システム。
【請求項６】
前記取得手段は、さらに、前記制御情報として、単位時間当たりの前記ダンパ制御手段から前記ＶＡＶユニットに備わる前記ダンパモータへのダンパ開指令時間及びダンパ閉指令時間の積算値を取得し、
前記判定手段は、前記積算値が一定時間以上となる場合、前記ダンパモータの交換時期と判定する、ことを特徴とする請求項１記載の空調システム。
【請求項７】
前記ダンパ制御手段は、前記判定手段において前記メンテナンス時期又は前記交換時期と判定された場合、前記ＶＡＶユニットの前記ダンパモータへの制御指令出力を一定時間中止する、ことを特徴とする請求項５又は請求項６記載の空調システム。
【請求項８】
前記ＶＡＶコントローラは、
前記判定の結果を前記中央監視装置に送信する送信手段を備え、
前記中央監視装置は、
前記判定の結果を画面表示する表示手段を備える、ことを特徴とする請求項１乃至請求項７のいずれか一項に記載の空調システム。
【発明の詳細な説明】
【技術分野】
【０００１】
本発明は、中央監視装置と接続されたＶＡＶ（Variable Air Volume：可変風量）コントローラから送信される指令信号によってＶＡＶユニットを制御して、各空調空間への送風容量を制御する空調システムに関する。
【背景技術】
【０００２】
従来より、複数の空調空間毎の温度状況に応じて、空調機からの風量を各個に制御するためのＶＡＶ（可変風量）ユニットを有した空調システムが知られている。この空調システムでは、室内の温度差が大きい場合には風量を多くするなど、温度差に見合った風量を調整することで室内の温度差を小さくし、設定温度に近づくにつれて徐々に風量を小さくする。これにより、空調機の負担を軽減して、ランニングコストの低減、省エネルギー化を図ることができる。
【０００３】
空調システムは、例えば、中央監視装置、ＶＡＶコントローラ、及びＶＡＶユニットなどを備え、ＶＡＶユニットは、ＶＡＶコントローラからのダンパ開閉指令信号によりダンパの開閉を行い、細やかな風量調整を行うことができる。中央監視装置は、ＶＡＶユニットの発停指令などを行い、ＶＡＶコントローラから返信される状態信号に基づいて各ＶＡＶユニットの制御状態を画面表示する。
【０００４】
図１３に示す空調システムのシーケンス例において、ＶＡＶコントローラ１０１は、中央監視装置１０２から発停信号を受け（Ｓ１３１）、当該発停指令に基づいてＶＡＶユニット１０３にダンパ開閉指令信号を送信する（Ｓ１３２）。また、ＶＡＶコントローラ１０１は、ＣＰＵを介して中央監視装置１０２から受信した発停指令と同じ内容を現在状態信号として中央監視装置１０２に送信する（Ｓ１３３）。中央監視装置１０２は、この状態信号に基づいて各ＶＡＶユニット１０３の現在の制御状態を確認する。
【０００５】
ところで、必要時に、全開指令、最大風量への設定指令などを同一指令として一括して各ＶＡＶユニットに与えることにより、個々の空調空間ごとに、空調調整を簡単に行えるようにしたＶＡＶ制御システムの調整方法も知られている（例えば、特許文献１参照）。
【先行技術文献】
【特許文献】
【０００６】
【特許文献１】特開平８−２７１０２７号公報
【発明の概要】
【発明が解決しようとする課題】
【０００７】
しかしながら、上記従来の空調システムでは、ＶＡＶコントローラ１０１は、ハードウェアであるＶＡＶユニット１０３の現在状態を実際に確認することなく、受信した発停信号に合致した状態信号を中央監視装置１０２に送信している。このため、中央監視装置１０２は、ＶＡＶユニット１０３に故障が発生している場合でも、ＶＡＶユニット１０３の故障状態を認識できず、ＶＡＶユニット１０３の動作状態について誤判定するという問題がある。
【０００８】
本発明は、上記課題に鑑みてなされたものであり、ＶＡＶコントローラにより制御されるＶＡＶユニットの動作状態の判定ができ、中央監視装置におけるＶＡＶユニットの動作の誤認識を防止することができる空調システムを提供することを目的とする。
【課題を解決するための手段】
【０００９】
上記目的を達成するために本発明は、中央監視装置と、前記中央監視装置と通信接続されるＶＡＶコントローラと、前記ＶＡＶコントローラにより制御されて空調空間への風量を可変制御するＶＡＶユニットとを備える空調システムにおいて、前記ＶＡＶコントローラは、前記中央監視装置から受信した発停信号に基づいて前記ＶＡＶユニットが備えるダンパの開閉指令を行うダンパ制御手段と、前記ＶＡＶユニットの制御に必要な制御情報を取得する取得手段と、前記開閉指令及び前記制御情報を用いて、前記ＶＡＶユニットの動作状態の判定を行う判定手段とを備え、前記制御情報には、前記ＶＡＶユニットに備わるダンパ開度検出部により検出されるダンパ高開度信号、前記ＶＡＶユニットに備わるダンパを駆動するダンパモータに対するダンパ開指令時間、及びダンパ閉指令時間が含まれており、前記判定手段は、前記ダンパ開指令時間−前記ダンパ閉指令時間なる式で算出される差分が一定時間以上となり、かつ、前記ダンパ高開度信号が検出されない場合、前記ダンパモータを故障と判定する、ことを特徴とするものである。
【００１０】
この空調システムにおいて、前記判定手段は、さらに、前記開閉指令としてダンパ開信号を送信した後、前記取得手段が前記ＶＡＶユニットに備わる風速センサから取得した風速信号が所定値以下の場合、又は前記開閉指令としてダンパ閉信号を送信した後、前記取得手段が取得する風速信号が所定値以上の場合、前記ＶＡＶユニットのダンパ故障と判定することが好ましい。
【００１１】
この空調システムにおいて、前記判定手段は、さらに、前記開閉指令としてダンパ開信号を送信した後、前記ダンパ高開度信号又は前記ＶＡＶユニットに備わるダンパ開度検出部により検出されるダンパ適正開度信号が検出され、かつ、前記風速信号が０以下の場合、又は前記開閉指令としてダンパ閉信号を送信した後、前記ダンパ高開度信号及びダンパ適正開度信号が検出されず、かつ、前記風速信号が０以上の場合、前記ＶＡＶユニットの風速センサを故障と判定することが好ましい。
【００１３】
この空調システムにおいて、前記判定手段は、さらに、前記ダンパ閉指令時間−前記ダンパ開指令時間なる式で算出される差分が一定時間以上となり、かつ、前記ダンパ高開度信号又はダンパ適性開度信号が検出される場合、前記ダンパモータを故障と判定することが好ましい。
【００１４】
この空調システムにおいて、前記取得手段は、さらに、前記制御情報として、単位時間当たりの前記ダンパ制御手段から前記ＶＡＶユニットに備わるダンパモータへの制御指令回数の総数を取得し、前記判定手段は、前記制御指令回数の総数が一定回数以上の場合、前記ＶＡＶユニットのメンテナンス時期と判定することが好ましい。
【００１５】
この空調システムにおいて、前記取得手段は、さらに、前記制御情報として、単位時間当たりの前記ダンパ制御手段から前記ＶＡＶユニットに備わる前記ダンパモータへのダンパ開指令時間及びダンパ閉指令時間の積算値を取得し、前記判定手段は、前記積算値が一定時間以上となる場合、前記ダンパモータの交換時期と判定することが好ましい。
【００１６】
この空調システムにおいて、前記ダンパ制御手段は、前記判定手段において前記メンテナンス時期又は前記交換時期と判定された場合、前記ＶＡＶユニットの前記ダンパモータへの制御指令出力を一定時間中止することが好ましい。
【００１７】
この空調システムにおいて、前記ＶＡＶコントローラは、前記判定の結果を前記中央監視装置に送信する送信手段を備え、前記中央監視装置は、前記判定の結果を画面表示する表示手段を備えることが好ましい。
【発明の効果】
【００１８】
本発明によれば、ＶＡＶコントローラは、ダンパ開閉指令信号及びＶＡＶユニットから取得した制御情報を用いて、ＶＡＶユニットの状態の判定し、この判定の結果を中央監視装置に送信する。このため、ＶＡＶコントローラにおいてＶＡＶユニットの動作状態を判定することができ、しかも、中央監視装置においてＶＡＶユニットの状態を誤認識することを防止できる。
【図面の簡単な説明】
【００１９】
【図１】本発明の実施の形態に係る空調システムの構成図を示す。
【図２】同上空調システムの機能図を示す。
【図３】同上空調システムに備わるＶＡＶコントローラ及びＶＡＶユニットの機能ブロック図を示す。
【図４】同上空調システム全体のデータの流れを示すシーケンス図である。
【図５】同上空調システムのＶＡＶコントローラの動作手順を示すフローチャートである。
【図６】同上実施の形態の変形例１に係る空調システム全体のデータの流れを示すシーケンス図である。
【図７】同上空調システムのＶＡＶコントローラの動作手順を示すフローチャートである。
【図８】同上実施の形態の変形例２に係る空調システム全体のデータの流れを示すシーケンス図である。
【図９】同上空調システムのＶＡＶコントローラの動作手順を示すフローチャートである。
【図１０】同上実施の形態の変形例３に係る空調システムのＶＡＶコントローラの動作手順を示すフローチャートである。
【図１１】同上実施の形態の変形例４に係る空調システムのＶＡＶコントローラの動作手順を示すフローチャートである。
【図１２】同上実施の形態の変形例５に係る空調システムのＶＡＶコントローラの動作手順を示すフローチャートである。
【図１３】従来の空調システム全体のデータの流れを示すシーケンス図である。
【発明を実施するための形態】
【００２０】
（実施の形態）
本発明の実施の形態に係る空調システムについて図１乃至図５を参照して説明する。図１に示す空調システムＳは、大規模のオフィスビルの空調設備の監視・制御などに使用され、中央監視装置１と、コアユニット２と、ＶＡＶコントローラ３と、設定器４と、ＶＡＶユニット５と、空調機６と、Ｉ／Ｏ７とを備える。なお、各機器はバス８を介して通信接続される。
【００２１】
中央監視装置１は、空調システムＳを集中管理するためのデスクトップ型や壁掛型のコンピュータである。この中央監視装置１は、各ＶＡＶユニット５からＶＡＶコントローラ３に送られた室内温度、吹出温度、実風量、ダンパ開度情報等のデータを、バス８を介して取得し画面表示する。また、中央監視装置１は、各ＶＡＶユニット５に与える発停信号（ダンパのＯＮ／ＯＦＦ信号）、室内温度設定値の変更、最大／最小風量設定値の変更、冷／暖切換、最大風量運転等の指令データを、バス８を介してＶＡＶコントローラ３に送信する。
【００２２】
ユーザは、中央監視装置１を操作することによって、各ＶＡＶユニット５の作動状態を、コンピュータの画面表示を介して監視でき、ＶＡＶユニット５の各種設定値を個々に又は一括して変更できる。
【００２３】
コアユニット２は、制御対象に応じて任意に空調機６のＩ／Ｏ７を選択、拡張する。また、コアユニット２は、中央監視装置１とバス８を介して通信接続され、中央監視装置１からの制御信号を受信し、運転状況の送信を行う。さらに、コアユニット２は、ＶＡＶコントローラ３と通信接続されてＶＡＶユニット５と連動制御される。
【００２４】
ＶＡＶコントローラ３は、ＶＡＶユニット５に取り付けて使用され、風速センサの検出値や温度センサ３ａで検出された室内計測温度より各空調空間に対するＶＡＶユニット５の要求風量を演算して、ＶＡＶユニット５のダンパの開度を調整して風量制御を行う。なお、各空調空間には、温度センサが設けられ、ＶＡＶコントローラ３は、各空調空間の設定温度と、実際の温度との温度偏差を検知する。
【００２５】
また、ＶＡＶコントローラ３は、バス８を介して中央監視装置１と接続され、発停信号を受信すると共に、後述する判定部で判定されたＶＡＶユニット５の故障状態を送信するためのＣＰＵ３０を備える。さらに、ＶＡＶコントローラ３は、ＶＡＶユニット５と空調機６との連動制御を実現するため、コアユニット２と通信して空調機６のファン回転数などを制御する。
【００２６】
設定器４は、図２に示すようにＶＡＶコントローラ３に信号線で接続され、ＶＡＶユニット５の制御を行う際にＶＡＶコントローラ３と共に使用される室内用リモコンであり、例えばＶＡＶコントローラ３の発停（入切）や温度設定の操作入力が可能である。設定器４は、液晶表示を用いてＶＡＶユニット５の入切状態や運転表示・室内温度表示などを行う。なお、設定器４が温度センサを内蔵し、室内温度計測機能や室内温度設定機能を有している場合もある。
【００２７】
ＶＡＶユニット５は、ＶＡＶコントローラ３と通信接続され、また、ダクト９を介して空調機６と接続される。このＶＡＶユニット５は、ダクト９に取り付けられて各空調空間の風量を可変制御するためのダンパを備え、ＶＡＶコントローラ３から受信する開閉指令信号に基づいてダンパの開度を調整して各空調空間の温度を調整する。また、ＶＡＶユニット５は、ダンパの上流側に配置された風速センサを備え、この風速センサで検出される風速信号をＶＡＶコントローラ３に送信する。
【００２８】
空調機６は、モータによって回転駆動させる送風機、熱交換器やインバータなどを備え、この空調機６に接続されたダクト９を介して複数の空調空間に冷気や暖気を給気する。ダクト９と空調空間との間にはＶＡＶユニット５が設けられ、ＶＡＶユニット５を通して調和された空気が各空調空間に吹き出される。また、空調機６は、コアユニット２とＩ／Ｏ７を介して通信接続され、ＶＡＶコントローラ３からファン回転数などの指令を受ける。
【００２９】
次に、本実施の形態に係る空調システムＳに用いるＶＡＶコントローラ３及びＶＡＶユニット５の機能構成に関して図３を参照して説明する。なお、図１においては、中央監視装置１とＶＡＶコントローラ３との間にコアユニット２が配置されているが、本発明においてコアユニット２は必須の構成ではないため図２及び図３においてはその詳細な説明を省略している。
【００３０】
ＶＡＶコントローラ３は、温度検出部３１、演算部３２、ダンパ制御部３３、判定部３４、及び送受信部（取得手段）３５を備える。温度検出部３１は、室内温度を抵抗値の変更により検出する温度センサ３ａなどである。演算部３２は、温度検出部３１で検出された室内温度と、設定温度とに基づいて要求風量を演算し、当該風量に基づいてＶＡＶユニット５のダンパ開度を演算する。ダンパ制御部３３は、演算部３２により演算されたダンパ開度に基づきＶＡＶユニット５のダンパ開閉指令を生成する。判定部３４は、ＶＡＶユニット５の制御に必要な信号である風速信号などの制御情報を用いて、ＶＡＶユニット５の異常判定を行う。送受信部３５は、中央監視装置１、コアユニット２やＶＡＶユニット５との間で発停信号、制御情報や開閉指令信号などの送受信を行う。
【００３１】
ＶＡＶユニット５は、図２及び図３に示すように、ダンパモータ５１、ダンパ開度検出部５２、及び風速センサ５３を備える。ダンパモータ５１は、電気信号によりダンパを開閉駆動する。ダンパ開度検出部５２は、ダンパの回転角度に基づいてダンパ適性開度（例えば開度７５％）やダンパ高開度（例えば開度９０％以上）を検出するためダンパに取り付けられた機械式のリミットスイッチなどである。このダンパ開度検出部５２で検出されたダンパ適性開度信号やダンパ高開度信号は、ＶＡＶコントローラ３に送信される。風速センサ５３は、ダクト９内の正確な風量を検出できるセンサであり、検出された風速信号はＶＡＶコントローラ３に送信される。
【００３２】
次に、本実施の形態に係る空調システムＳの動作に関して図４を参照して説明する。最初に、中央監視装置１は、ＶＡＶユニット５のダンパを開閉制御するための発停信号をＶＡＶコントローラ３に送信する（Ｓ４１）。
【００３３】
そして、ＶＡＶコントローラ３は、当該発停信号に基づくダンパの開閉指令をＶＡＶユニット５に送信し（Ｓ４２）、ＶＡＶユニット５から風速信号を受信するため所定の効果待ち期間において待機する。この待ち期間において、ＶＡＶユニット５は、開閉指令に基づいてダンパの開制御又は閉制御を行うと共に、風速センサを用いて風速を検出して、ＶＡＶコントローラ３に風速信号を送信する。
【００３４】
次に、ＶＡＶコントローラ３の判定部３４は、ＶＡＶユニット５から受信した風速信号に基づきＶＡＶユニット５のダンパの現在の状態を判定する（Ｓ４３）。そして、ＶＡＶコントローラ３は、ＶＡＶユニット５の発停状態及びダンパ状態の判定結果を中央監視装置１に送信し、中央監視装置１は、状態を受信し画面表示する（Ｓ４４）。
【００３５】
次に、本実施の形態に係る空調システムＳにおけるＶＡＶコントローラ３の動作に関して図５を参照して説明する。最初に、ＶＡＶコントローラ３は、中央監視装置１から発停信号を受信したか否かを確認する（Ｓ５１）。当該発停信号を受信した場合（Ｓ５１でＹＥＳ）、ＶＡＶコントローラは、発停信号がダンパ開指令かダンパ閉指令かを確認する（Ｓ５２）。
【００３６】
そして、発停信号がダンパ開指令の場合（Ｓ５２でＹＥＳ）、ＶＡＶコントローラ３は、所定の効果待ち期間待機した後（Ｓ５３）、受信した風速信号がＸ（ｍ／ｓ）より大きいか否かを判定する（Ｓ５４）。判定部３４は、当該風速信号がＸ（ｍ／ｓ）より大きい場合には（Ｓ５４でＹＥＳ）、状態信号「ダンパ故障無し」を中央監視装置１に送信する（Ｓ５５）。一方、風速信号がＸ（ｍ／ｓ）より小さい場合には（Ｓ５４でＮＯ）、状態信号「ダンパ故障」として中央監視装置１に送信する（Ｓ５６）。
【００３７】
また、発停信号がＯＦＦ指令の場合（Ｓ５２でＮＯ）、ＶＡＶコントローラ３は、所定の効果待ち期間待機した後（Ｓ５７）、受信した風速信号がＸ（ｍ／ｓ）以下か否かを判定する（Ｓ５８）。判定部３４は、当該風速信号がＸ（ｍ／ｓ）以下の場合には（Ｓ５８でＹＥＳ）、状態信号「ダンパ故障無し」を中央監視装置１に送信する（Ｓ５９）。一方、風速信号がＸ（ｍ／ｓ）以下でない場合には（Ｓ５８でＮＯ）、状態信号「ダンパ故障」を中央監視装置１に送信する（Ｓ６０）。
【００３８】
以上の説明のように、本実施の形態に係る空調システムＳにおいては、ＶＡＶユニット５から別途の信号を取込まずにＶＡＶコントローラ３にて簡易的に精度の高いＶＡＶユニット５のダンパの動作判定ができる。従って、中央監視装置１は、ＶＡＶコントローラ３から受信した判定結果に基づいて、現時点でのＶＡＶユニット５のダンパの故障判定が可能となる。
【００３９】
（第１の変形例）
本実施の形態の第１の変形例について、図６及び図７を参照して説明する。本変形例において、ＶＡＶコントローラ３は、ＶＡＶユニット５から受信する風速信号と、ダンパ高開度信号又はダンパ適正開度信号とを用いて、ＶＡＶユニット５の風速センサの故障判定を行う。なお、上記実施の形態に係る空調システムＳと同様の構成には同符号を付し、その詳細な説明は省略する（以下同じ）。
【００４０】
本変形例１に係る空調システムＳの動作手順に関して図６を参照して説明する。最初に、中央監視装置１は、ＶＡＶユニット５の発停信号をＶＡＶコントローラ３に送信する（Ｓ６１）。そして、ＶＡＶコントローラ３は、当該発停信号に基づく開閉指令信号をＶＡＶユニット５に送信し（Ｓ６２）、ＶＡＶユニット５側からの風速信号を受信するため所定の待ち期間において待機する。この間、ＶＡＶユニット５は、指令信号に基づいてダンパの開／閉制御を行い、ダンパ開度検出部５２を用いてダンパ適正開度及びダンパ高開度の検出、及び風速センサ５３を用いて風速を検出し、ＶＡＶコントローラ３に検出結果を送信する（Ｓ６３）。
【００４１】
次に、ＶＡＶコントローラ３の判定部３４は、ＶＡＶユニット５から受信したダンパ開度信号、及び風速信号に基づきＶＡＶユニット５の風速センサの現在の状態を判定する。そして、ＶＡＶコントローラ３は、ＶＡＶユニット５の発停状態及び風速センサの判定結果を状態信号として中央監視装置１に送信し（Ｓ６４）、中央監視装置１は、状態を受信し画面表示する。
【００４２】
次に、本変形例１に係る空調システムＳにおけるＶＡＶコントローラ３の動作に関して図７を参照して説明する。最初に、ＶＡＶコントローラ３は、中央監視装置１から発停信号を受信したか否かを確認する（Ｓ５１）。当該発停信号を受信した場合（Ｓ５１でＹＥＳ）、ＶＡＶコントローラは、発停信号がダンパ開指令かダンパ閉指令かを確認する（Ｓ５２）。
【００４３】
そして、発停信号がダンパ開指令の場合（Ｓ５２でＹＥＳ）、判定部３４は、所定の効果待ち期間待機内に（Ｓ５３）、ダンパ適正開度信号又はダンパ高開度信号を受信し（Ｓ７１でＹＥＳ）、かつ風速信号が０（ｍ／ｓ）以上か否かを判定する（Ｓ７２）。判定部３４は、ダンパ高開度信号又はダンパ適正開度信号が受信し（ダンパ開いている状況）、風速信号が０（ｍ／ｓ）より大きい場合には（Ｓ７２でＹＥＳ）、状態信号「風速センサ故障無し」を中央監視装置１に送信する（Ｓ７３）。一方、判定部３４は、ダンパ適正開度信号又はダンパ高開度信号が検出され（Ｓ７１でＹＥＳ）、風速信号が０（ｍ／ｓ）以上でない場合には（Ｓ７２でＮＯ）、風速センサ５３の故障とし、状態信号「風速センサ故障」を中央監視装置１に送信する（Ｓ７４）。
【００４４】
また、発停信号がダンパ閉指令の場合（Ｓ５２でＮＯ）、判定部３４は、所定の効果待ち期間待機した後（Ｓ５７）、ダンパ適正開度信号又はダンパ高開度信号を受信しない場合（Ｓ７５でＹＥＳ）、風速信号が０（ｍ／ｓ）以下か否かを判定する（Ｓ７６）。判定部３４は、ダンパ適正開度又はダンパ高開度信号を受信せず（Ｓ７５でＹＥＳ）、かつ風速信号０（ｍ／ｓ）以下の場合には（Ｓ７６でＹＥＳ）、状態信号「風速センサ故障無し」として中央監視装置１に送信する（Ｓ７７）。一方、判定部３４は、ダンパ高開度信号及びダンパ適正開度信号の両方を検知し（Ｓ７５でＹＥＳ）、かつ受信した風速信号が０（ｍ／ｓ）以下でない場合（Ｓ７６でＮＯ）、状態信号「風速センサ故障」を中央監視装置１に送信する（Ｓ７８）。
【００４５】
以上の説明のように、本変形例１に係る空調システムＳおいては、ＶＡＶユニット５から別途の信号を取込まずにＶＡＶコントローラ３にて簡易的に精度の高いＶＡＶユニット５の風速センサの動作判定ができる。従って、中央監視装置１は、ＶＡＶコントローラ３から受信した判定結果に基づいて、現時点でのＶＡＶユニット５の風速センサの故障判定が可能となる。
【００４６】
（第２の変形例）
本実施の形態の第２の変形例に係る空調システムついて、図８及び図９を参照して説明する。本変形例２において、ＶＡＶコントローラ３は、ダンパモータに対する開閉指令時間およびダンパ高開度信号を用いて、ダンパモータの故障判定を行う。
【００４７】
本変形例２に係る空調システムＳの動作手順に関して図８を参照して説明する。最初に、中央監視装置１は、ＶＡＶユニット５の発停信号をＶＡＶコントローラ３に送信する（Ｓ８１）。ＶＡＶコントローラ３は、当該発停信号に基づいて、ダンパ開閉指令信号をＶＡＶユニット５に送信する（Ｓ８２）。この間、ＶＡＶユニット５は、指令信号に基づいてダンパの開制御又は閉制御を行い、ダンパ開度検出部５２を用いてダンパ高開度信号の検出を行い、ＶＡＶコントローラ３に検出されたダンパ高開度信号を送信する（Ｓ８３）。
【００４８】
次に、ＶＡＶコントローラ３の判定部３４は、ダンパ開指令時間、ダンパ閉指令時間、及びダンパ高開度信号を用いて、ＶＡＶユニット５のダンパモータ異常を判定する。そして、ＶＡＶコントローラ３は、ＶＡＶユニット５の発停状態及びダンパモータの異常判定結果を状態信号として中央監視装置１に送信し（Ｓ８４）、中央監視装置１は、状態を受信し画面表示する。
【００４９】
次に、本変形例２に係る空調システムＳにおけるＶＡＶコントローラ３の動作に関して図９を参照して説明する。最初に、ＶＡＶコントローラ３の演算部３２は、「ダンパ開指令時間−ダンパ閉指令時間」の差分の算出を行う（Ｓ９１）。そして、判定部３４は、当該差分が一定時間以上となり（Ｓ９１でＹＥＳ）、ダンパ高開度信号を受信しない場合には（Ｓ９２でＮＯ）、ダンパモータが故障していると考えられ、「ダンパモータ故障」を中央監視装置１に送信する（Ｓ９３）。一方、判定部３４は、当該差分が一定時間以上となり（Ｓ９１でＹＥＳ）、ダンパ高開度信号を受信した場合には（Ｓ９２でＹＥＳ）、ダンパモータが正常に動作しているとして、中央監視装置１に「ダンパモータ故障無し」の状態信号を送信する（Ｓ９４）。
【００５０】
ここで本変形例２の動作を例示すると、ＶＡＶユニット５は、ダンパ開信号１００秒間継続でダンパが１００％開状態に、ダンパ閉信号１００秒間継続でダンパが１００％開状態から閉状態になると仮定する。そして、ダンパ開度検出部５２におけるダンパ高開度信号の検出がダンパ９０％開いた状態で発信されるものとする。この場合、（ダンパ開信号時間−ダンパ閉信号時間）≧９０秒の場合に、ＶＡＶコントローラ３は、ダンパ高開度信号を受信する。従って、ＶＡＶコントローラ３の判定部３４は、差分が９０秒以上となる際に、ダンパ高開度信号を受信しないと、状態信号「ダンパモータ故障」を中央監視装置１に送信する。
【００５１】
以上の説明のように、本変形例２に係る空調システムＳおいては、ＶＡＶユニット５から別途の信号を取込まずにＶＡＶコントローラ３にて簡易的に精度の高いＶＡＶユニット５のダンパモータの動作判定ができる。従って、中央監視装置１は、ＶＡＶコントローラ３から受信した判定結果に基づいて、現時点でのＶＡＶユニット５のダンパモータの故障判定が可能となる。
【００５２】
（第３の変形例）
本実施の形態の第３の変形例について、図１０を参照して説明する。本変形例では、ＶＡＶコントローラ３は、ダンパモータに対する開／閉指令時間、ダンパ高開度信号、及びダンパ適正開度信号を用いて、ダンパモータの故障判定を行う。
【００５３】
本変形例３に係る空調システムＳにおけるＶＡＶコントローラ３の動作に関して図１０を参照して説明する。最初に、ＶＡＶコントローラ３の演算部３２は、「ダンパ閉指令時間−ダンパ開指令時間」の差分の算出を行う（Ｓ１０１）。そして、判定部３４は、当該差分が一定時間以上となり（Ｓ１０１でＹＥＳ）、ダンパ高開度信号又はダンパ適正開度信号を受信する場合には（Ｓ１０２でＹＥＳ）、「ダンパモータ故障」を中央監視装置１に送信する（Ｓ１０４）。一方、判定部３４は、当該差分が一定時間以上となり（Ｓ１０１でＹＥＳ）、ダンパ高開度信号又はダンパ適正開度信号を受信しない場合には（Ｓ１０２でＮＯ）、中央監視装置１に「ダンパモータ故障無し」の状態信号を送信する（Ｓ１０３）。
【００５４】
ここで本変形例３の動作を例示すると、ＶＡＶユニット５は、例えば、ダンパ開信号１００秒間継続でダンパが１００％開状態に、ダンパ閉信号１００秒間継続でダンパが１００％開状態から閉状態になると仮定する。そして、ダンパ開度検出部５２におけるダンパ高開度信号の検出がダンパ９０％開いた状態で発信、ダンパ適正開度信号の検出が７５％開いた状態で発信されるものとする。この場合、（ダンパ閉信号時間−ダンパ開信号時間）≧−７５秒の場合には、ＶＡＶコントローラ３は、ダンパ高開度信号及びダンパ適性開度信号か検出されない。従って、ＶＡＶコントローラ３の判定部３４は、当該差分が−７５秒以上で、かつ、ダンパ高開度信号又はダンパ適性開度信号を受信すると、状態信号「ダンパモータ故障」を中央監視装置１に送信する。
【００５５】
以上の説明のように、本変形例３に係る空調システムでは、上記変形例２と同様、ＶＡＶユニット５から別途の信号を取込まずにＶＡＶコントローラ３にて簡易的に精度の高いダンパモータの動作判定ができる。従って、中央監視装置１は、ＶＡＶコントローラ３から受信した判定結果に基づいて、現時点でのダンパモータの故障判定が可能となる。
【００５６】
（第４の変形例）
本実施の形態の第４の変形例について、図１１を参照して説明する。本変形例４において、ＶＡＶコントローラ３は、単位時間当たりのＶＡＶユニット５のダンパモータへの開閉指令信号の回数を用いて、ＶＡＶユニット５のメンテナンス（調整不良）の判定を行う。
【００５７】
本変形例４に係る空調システムＳにおけるＶＡＶコントローラ３の動作に関して図１１を参照して説明する。最初に、ＶＡＶコントローラ３の判定部３４は、単位時間当たりのダンパ開指令及びダンパ閉指令の出力の総数が一定回数以上か否かを判定する（Ｓ１１１）。次に、判定部３４は、単位時間当たりのダンパ開閉指令回数の総数が一定回数以上の場合（Ｓ１１１でＹＥＳ）、ＶＡＶユニット５が制御調整不良のためハンチング動作しているとして、メンテナンス信号「ＯＮ」を中央監視装置１に送信する（Ｓ１１２）。そして、ＶＡＶコントローラ３は、一定時間、ＶＡＶユニット５へのダンパ閉指令又はダンパ開指令信号の出力を中止する（Ｓ１１４）。なお、この場合のハンチング動作とは、ダンパが開閉を所定期間内に繰り返す動作などである。一方、判定部３４は、単位時間当たりのダンパモータ制御指令回数が一定回数以下の場合（Ｓ１１１でＮＯ）、メンテナンス信号「ＯＦＦ」を中央監視装置１に送信する（Ｓ１１３）。
【００５８】
以上の説明のように、本変形例４に係る空調システムでは、ＶＡＶユニット５から別途信号を取込まずにＶＡＶコントローラ３にて簡易的にＶＡＶユニット５のメンテナンス判定ができる。また、ＶＡＶコントローラ３は、メンテナンス判定された場合、ダンパの開閉指令信号の出力を一定時間中止することで、当該メンテナンス信号に基づいてＶＡＶユニット５のハンチング動作を抑制することが可能となる。
【００５９】
（第５の変形例）
本実施の形態の第５の変形例について、図１２を参照して説明する。本変形例５において、ＶＡＶコントローラ３は、ダンパモータに対する開閉指令時間（内部情報）を用いて、ダンパモータの運転時間を簡易積算し、ＶＡＶユニット５のダンパモータ寿命時期の判定を行う。
【００６０】
本変形例５に係る空調システムＳにおけるＶＡＶコントローラ３の動作に関して図１２を参照して説明する。最初に、ＶＡＶコントローラ３の判定部３４は、単位時間当たりのダンパ開指令時間及びダンパ閉指令時間の出力時間の積算値が一定時間以上となるか否かを判定する（Ｓ１２１）。そして、判定部３４は、単位時間当たりの当該積算値が一定時間以上の場合（Ｓ１２１でＹＥＳ）、ダンパモータ寿命のため交換時期に達したと判定し、メンテナンス信号「ＯＮ」を中央監視装置１に送信する（Ｓ１２２）。そして、ＶＡＶコントローラ３からダンパ閉指令信号又はダンパ開指令信号の出力を行わないようにする（Ｓ１２４）。一方、判定部３４は、当該積算値が一定時間以下の場合（Ｓ１２１でＮＯ）、メンテナンス信号「ＯＦＦ」を中央監視装置１に送信する（Ｓ１２３）。
【００６１】
以上の説明のように、本変形例５に係る空調システムでは、ＶＡＶユニット５から別途信号を取込まずにＶＡＶコントローラ３にて簡易的にＶＡＶユニット５のダンパモータの寿命判定ができる。また、ＶＡＶコントローラ３は、ダンパモータ寿命と判定された場合、寿命を超過したダンパモータ動作を抑制し、ＶＡＶユニット５の安全性を高めることができる。
【００６２】
なお、本発明は、上記実施の形態の構成に限られず、発明の趣旨を変更しない範囲で種々の変形が可能である。例えば、ＶＡＶユニット３は、ＶＡＶユニット５が故障状態である場合にのみ故障信号を中央監視装置１に送信し、ＶＡＶユニット５が故障状態でない場合には状態信号を中央監視装置１に送信しなくてもよい。また、本発明においてコアユニット２の構成は必須ではない。
【符号の説明】
【００６３】
１  中央監視装置
３  ＶＡＶコントローラ
３１  温度検出部
３２  演算部
３３  ダンパ制御部（ダンパ制御手段）
３４  判定部（判定手段）
３５  送受信部（取得手段）
４  設定器
５  ＶＡＶユニット
５１  ダンパモータ
５２  ダンパ開度検出部
５３  風速センサ
６  空調機
７  Ｉ／Ｏ
８  バス
９  ダクト
Ｓ  空調システム
【図１】
0005849247.tif 000002
【図３】
0005849247.tif 000003
【図４】
0005849247.tif 000004
【図５】
0005849247.tif 000005
【図６】
0005849247.tif 000006
【図７】
0005849247.tif 000007
【図８】
0005849247.tif 000008
【図９】
0005849247.tif 000009
【図１０】
0005849247.tif 000010
【図１１】
0005849247.tif 000011
【図１２】
0005849247.tif 000012
【図１３】
0005849247.tif 000013
【図２】
0005849247.tif 000014